(57)【特許請求の範囲】
【請求項１】
下端に着脱自在な印鑑(24)を保持させるとともに上方にホルダー(23)を冠着してある印鑑保持体(6) と、下方一側面に窓孔(4) が形成され内部には前記印鑑保持体(6) が収納されてスプリング(20)の弾発力によりこの印鑑保持体(6) の外面に沿って上下摺動自在とされる筒状のスライド体(1) と、前記窓孔(4) を開閉できる板部(10)の内側に朱肉(11)を設けた蓋体(9) とよりなり、不使用時はこの蓋体(9) の板部(10)が窓孔(4) を外側から閉じて朱肉(11)が印鑑(10)の印面(11)に接触しているが、押印操作によってスライド体(1) が上昇すると蓋体(9) が外側に回動して窓孔(4) が開かれるとともに印面(23)が被捺印面に達して捺印できるようにした印鑑ケースにおいて、
前記スライド体(1) の窓孔(4) の両側縁に半円状の切欠部(2) 、(2) を設ける一方、このスライド体(1) 内にある前記印鑑保持体(6) の両側面の下方には前記した切欠部(2) 、(2) と対向する長手方向の溝(7) 、(7) を設けてあり、また、蓋体(9) の両側には前記溝(7) に先端が介入される軸体(16)を裏側に備えた半円状の蓋体保持板(14)が設けられて、前記半円状の切欠部(2) 、(2) に両軸体(16)、(16)を沿わせて移動させながら蓋体(9) の回動が行われるようにしてあることを特徴とする印鑑ケース。
【請求項２】
ホルダー(23)の上方一側面に孔部(26)を設け、その孔部(26)に回転可能に取り付けられる調節ねじ(27)と、前記調節ねじ(27)に固着される渦状の調節子(28)とから成る印面高さ調節機構を設けたことを特徴とする請求項１に記載の印鑑ケース。
【発明の詳細な説明】
【０００１】
【産業上の利用分野】
本発明は、不使用時は朱肉を内蔵する蓋体が印鑑の印面を閉塞して朱肉が印面に接触しており、捺印する時には、前記蓋体が回動して印面を開放して捺印することができる印鑑ケースに関する。
【０００２】
【従来の技術】
従来、朱肉を内蔵した蓋体をケースに回動自在に取り付けてあり、不使用時は蓋体が印鑑保持体に保持してある印鑑の印面を閉塞して印面に朱肉を付着してあり、印鑑保持体が下降することにより蓋体が回動して印面を開放して捺印可能とし、前記印鑑保持体が上昇することにより前記蓋体が回動して印面を閉塞して印面に朱肉を付着する印鑑ケースに関する出願として特開平２−１０６３８４号（以下（イ）とする。）、特開平３−１１４７７０号（以下（ロ）とする。）、実開平５−４１８４４号（以下（ハ）とする。）、実公平７−５１３３６号（以下（ニ）とする。）が知られている。
【０００３】
しかしながら、（イ）、（ロ）の印鑑ケースの印鑑保持体には独自の形状を有する専用の印鑑を保持させているため、印鑑を交換したい場合は、あらかじめ印面の異なる専用の印鑑を用意しなければならないため、三文判等の市販の印鑑を自由に取り替えて使用することが出来ないという欠点があった。
【０００４】
そこで、（ハ）、（ニ）の印鑑ケースは、前記欠点を解消し、三文判等の市販の印鑑を着脱自在に保持させることができるものとしているが、これらの印鑑ケースは、印鑑保持体の上下動に合わせて蓋体に設けてある歯部と印鑑保持体に設けてある歯部とを噛合させて蓋体を回動させているため、蓋体の動きにガタツキが生じて蓋体の開閉動作がスムーズでなく、操作感が悪いという欠点がある。
【０００５】
又、（ハ）、（ニ）の印鑑ケースは、長さの異なる印鑑を使用する際に印鑑を挿入する深さを調節して、常時印面に朱肉を適度に付着させるよう印面の位置を調節することができるものであるが、調節する際にはホルダーを取り外す必要があるという欠点がある。
【０００６】
【発明が解決しようとする課題】
そこで、本発明は上記欠点を解消し、蓋体の開閉動作をスムーズにして操作感を良好なものとし、さらに、ホルダーを取り外さずに簡単に印面位置を調節することができる印鑑ケースを提供するものである。
更に、本発明は上記先願の（イ）、（ロ）、（ハ）、（ニ）とは構成が全く異なるものである。
【０００７】
【課題を解決するための手段】
上記課題を解決するために、下端に着脱自在な印鑑を保持させるとともに上方にホルダーを冠着してある印鑑保持体と、下方一側面に窓部が形成され内部には前記印鑑保持体が収納されてスプリングの弾発力によりこの印鑑保持体の外面に沿って上下摺動自在とされる筒状のスライド体と、前記窓孔を開閉できる板部の内側に朱肉を設けた蓋体とよりなり、不使用時はこの蓋体の板部が窓部を外側から閉じて朱肉が印鑑の印面に接触しているが、押印操作によってスライド体が上昇すると蓋体が外側に回動して窓部が開かれるとともに印面が被捺印面に達して捺印できるようにした印鑑ケースにおいて、前記スライド体の窓部の両側縁に半円状の切欠部を設ける一方、このスライド体内にある前記印鑑保持体の両側面の下方には前記した切欠部と対向する長手方向の溝を設けてあり、また、蓋体の両側には前記溝に先端が介入される軸体を裏側に備えた半円状の蓋体保持板が設けられて、前記半円状の切欠部に両軸体を沿わせて移動させながら蓋体の回動が行われるようにしてある。
また、前記したような印鑑ケースにおいて、ホルダーの上方一側面に孔部を設け、その孔部に回転可能に取り付けられる調節ねじと、前記調節ねじに固着される渦状の調節子とから成る印面高さ調節機構を設けておくものする。
【０００８】
【作用】
不使用時において、印鑑保持体の下端面はスプリングの弾発力によりスライド体の下端開口部より上方に位置しており、蓋体が印鑑の印面を閉塞し朱肉が印面に接触している。また、押印操作を行うとスライド体が上昇するとともに蓋体が回動して印面を開放し、捺印が可能となることは従来のこの種の印鑑ケースと変わることがない。
【０００９】
しかしながら、本発明ではスライド体の窓部の両側縁に半円状の切欠部を設ける一方、このスライド体の内部にある印鑑保持体の両側面の下方に切欠部と対向させて長手方向の溝を設けてあり、また、蓋体の両側には前記溝に先端が介入される軸体を裏側に備えた半円状の蓋体保持板が設けられて、前記半円状の切欠部に両軸体を沿わせて移動させながら蓋体の回動が行われるようにしてあるので、蓋体の開閉操作をスムーズにして操作感が良好なものとなる。
【００１０】
【００１１】
また、ホルダーの上方一側面に孔部を設けてこの孔部に回転可能に取り付けられる調節ねじと、前記調節ねじに固着される渦状の調節子とから成る印面高さ調節機構を設けてあって、調節ねじを回転させると、同時に回転子も回転して印鑑を挿入する深さを調節することができるので、印鑑の長さに応じて印面の高さを調節することができる。
【００１２】
【実施例】
以下、本発明の実施例を図面に基づいて説明する。
１はスライド体で上下端面を開口した筒状のものであり、下方一側面に窓部４を設け、両側面には窓部４と連通する半円状の切欠部２と、その切欠部２の円周に沿って外側に突出する案内突起３が設けてある。６は印鑑保持体で上下端面を開口した筒状のもので、三文判等の朱肉を必要とする印鑑２４を着脱自在に保持するものであり、両側面には溝７を設けてあり、さらに溝７の下方にはテーパー部８が設けてある。この印鑑保持体６は、溝７が切欠部２と対向するようにスライド体１にスプリング２０を介して上下摺動自在に収納されており、印鑑保持体６の上方にはホルダー２３が冠着してあり、印鑑保持体６の下端面は常時スプリング２０の弾発力によりスライド体１の下端開口部５より上方に位置している。又、ホルダー２３と印鑑保持体６との間には、捺印時の押圧力を調節して印影を鮮明にするための調節スプリング２１を設けてある。９は蓋体で内部に朱肉１１を有しており、図４のように一側面に板部１０を設けてあるとともに両端には切欠部２に対応する形状の摺動体１２を設けてある。この蓋体９は、印鑑２４の印面２５を開放及び閉塞するものであり、摺動体１２が切欠部２に摺動自在に収まるように配設してある。１４は蓋体保持板で、図５のように平坦部１７を有する軸体１６を一体に設けた摺動部１５と、案内突起３に誘導される案内溝１８とを一側面に設けてある。この蓋体保持板１４は、摺動部１５が切欠部２に摺動自在に収まるとともに軸体１６が溝７に上下動、且つ回動自在に収まり、さらに案内突起３が案内溝１８に摺動自在に収まるように摺動体１２の側面に取り付けてあり、蓋体９を切欠部２において回動自在に挟持するものである。この蓋体保持板１４の取り付け方法は、本実施例では摺動体１２の側面に設けてある孔１３に、蓋体保持板１４に設けてある棒状の突起１９を挿入して摺動体１２と蓋体保持板１４を嵌着してあるが、接着剤等で摺動体１２と蓋体保持板１４を固着してもよい。
【００１３】
次に、使用方法について説明する。
不使用時においては、図２、図６のように印鑑保持体６の下端面はスプリング２０の弾発力により下端開口部５より上方に位置しており、蓋体９の摺動体１２と蓋体保持板１４の摺動部１５はスライド体１の切欠部２に完全に収まって、軸体１６の平坦部１７は溝７のテーパー部８に当接している。この時、朱肉１１を内蔵した蓋体９は印面２５を閉塞して印面２５に朱肉１１が付着した状態となっている。
【００１４】
次にホルダー２３を押し下げると、印鑑保持体６がスライド体１内を下降して蓋体９を押し下げる。ところが、蓋体９は切欠部２において蓋体保持板１４に回動自在に挟持されているため、蓋体９は下降することができない。よって、図７のように摺動体１２と摺動部１５が切欠部２に沿って窓部４側に摺動するとともに、案内溝１８が案内突起３に誘導されて窓部４側に摺動して蓋体保持板１４が窓部４側に回動する。これにより、蓋体９は窓部４よりスライド体１の外側に回動し、板部１０が窓部４より外側に突出した状態となって蓋体９は印面２５を開放する。そして、さらにホルダー２３を押し下げると、図１、図８のように印面２５が下端開口部５より突出するので捺印をすることができる。この時、摺動体１２は切欠部２より外側に、摺動部１５は切欠部２の下方にそれぞれ位置している。又、摺動部１５が摺動した時に、軸体１６は窓部４側に回動しているので、平坦部１７とテーパー部８は非平行状態となっており、且つ軸体１６は溝７の上方に移動している。
【００１５】
捺印後、ホルダー２２への押圧を解くと、蓋体９が印面２５を開放した状態でスプリング２２の弾発力により印鑑保持体６はスライド体１内を上昇する。そして、軸体１６が溝７の下方に移動して軸体１６とテーパー部８とが接触して、さらに印鑑保持体６がスライド体１内を上昇すると、軸体１６が印面開放時と逆方向に回動を開始するので、摺動体１２と摺動部１５が切欠部２に沿って印面開放時と逆方向に摺動を開始するとともに、案内溝１８が案内突起３に誘導されて印面開放時と逆方向に摺動を開始して蓋体保持板１４が印面開放時と逆方向に回動を開始する。これにより、蓋体９は窓部４よりスライド体１の内側に回動を開始して、図７のようになる。そして、印鑑保持体６がスライド体１内を上昇し終わって、軸体１６が印面開放時と逆方向に回動して平坦部１７が溝７のテーパー部８に当接した時に、図２、図６のように蓋体９は回動し終わってスライド体１の内側に完全に収まって印面２５を閉塞し、印面２５に朱肉１１が付着した状態となる。
【００１６】
次に、図９、図１０は本発明の第２の実施例を示すもので、前記第１実施例の印鑑ケースにおけるホルダー２３の上方一側面に孔部２６を設け、その孔部２６に調節ねじ２７を回転可能に取り付け、その調節ねじ２７の一端を渦状の調節子２８の孔２９に嵌挿してある。そして印面２５の位置を調節する場合は、この調節ねじ２７を回転させる。すると、調節子２８も同時に回転して、調節子２８の孔２９の中心から外周までの長さにより印鑑２４を挿入する深さが調節されるので、印面２５の高さを調節することができる。
【００１７】
又、上記実施例では蓋体９に摺動体１２を、蓋体保持板１４に摺動部１５をそれぞれ設けているが、これら摺動体１２や摺動部１５は、図示はしないが蓋体９の両端、あるいは蓋体保持板１４の一側面のどちらか一方に一体に設けてもよい。又、更に、蓋体９の両端の摺動体１２と蓋体保持板１４とを一体に設けてもよい。
【００１８】
【効果】
以上の通り本発明は、スライド体１の窓孔４の両側縁に半円状の切欠部２、２を設ける一方、スライド体１内にある印鑑保持体６の両側面の下方には前記した切欠部２、２と対向する長手方向の溝７、７を設けてあり、また、蓋体９の両側には各溝７に先端が介入される軸体１６を裏側に備えた半円状の蓋体保持板１４が設けられて、前記半円状の切欠部２、２に両軸体１６、１６を沿わせて移動させながら蓋体９の回動が行われるようにしてあるので、蓋体９の開閉動作をガタツキなくスムーズに行なうことができる操作感が良好なものであり、又、印面２５の高さを調節する際は、ホルダー２３を取り外さずに調節ねじ２７を回転させるだけでよいので、簡単に印面の高さを調節できるものである。
【００１９】
【図面の簡単な説明】
【図１】    本発明の第１実施例における印面を開放した状態を示す側面一部透視断面図
【図２】    本発明の第１実施例における印面を閉塞した状態を示す側面一部透視断面図
【図３】    本発明の第１実施例の分解斜視図
【図４】    本発明の実施例における蓋体の斜視図
【図５】    本発明の実施例における蓋体保持板の斜視図
【図６】    本発明の実施例における印面を閉塞した状態を示す透視側面図
【図７】    本発明の実施例における蓋体の回動時を示す透視側面図
【図８】    本発明の実施例における印面を開放した状態を示す透視側面図
【図９】    本発明の第２実施例における印面を閉塞した状態を示す側面一部断面図
【図１０】  本発明の第２実施例における調節子の正面図
【００２０】
【符号の説明】
１      スライド体
２      切欠部
３      案内突起
４      窓部
５      下端開口部
６      印鑑保持体
７      溝
８      テーパー部
９      蓋体
１０    板部
１１    朱肉
１２    摺動体
１３    孔
１４    蓋体保持板
１５    摺動部
１６    軸体
１７    平坦部
１８    案内溝
１９    突起
２０    スプリング
２１    調節スプリング
２２    押さえばね
２３    ホルダー
２４    印鑑
２５    印面
２６    孔部
２７    調節ねじ
２８    調節子
２９    孔
【図１】
0003678842.tif 000002
【図２】
0003678842.tif 000003
【図３】
0003678842.tif 000004
【図４】
0003678842.tif 000005
【図５】
0003678842.tif 000006
【図６】
0003678842.tif 000007
【図７】
0003678842.tif 000008
【図８】
0003678842.tif 000009
【図９】
0003678842.tif 000010
【図１０】
0003678842.tif 000011